(57)【要約】　【課題】　選択スイッチを外部表面に設けることなくアダプタの取り替えにより提供するサービスの選択を行えるメモリカードを提供すること。　【解決手段】　複数のサービスに対応付けられたアプリケーションを実行可能なメモリカードで、複数のサービスを切り替えるアダプタと、アダプタが脱着自在に接続されるカード本体と、外部機器に対するインターフェイスと、複数のサービスに対応付けられたアプリケーションに関する情報を格納する記憶手段と、アダプタがカード本体に接続されているか否かを検出する検出手段と、その検出信号に基づいて、選択されるアプリケーションを実行することにより、そのサービスを外部機器に提供するＣＰＵ又はＬＳＩとを備える。【選択図】　図１
2004145870.tif 000002
【特許請求の範囲】
【請求項１】
複数のサービスに対応付けられた複数のアプリケーションを実行可能なメモリカードであって、
　複数のサービスを任意に切り替えるアダプタ、
　前記アダプタが脱着自在に接続されるカード本体、
　外部機器に対するインターフェイス、
　複数のサービスに対応付けられた複数のアプリケーションに関する情報を格納する記憶手段、
　前記アダプタが前記カード本体に接続されているか否かを検出する検出手段、および
　前記検出手段からの検出信号に基づいて、選択されるサービスに対応付けられたアプリケーションを実行することにより、該サービスを前記インターフェイスを介して外部機器に提供するＣＰＵ又はＬＳＩ
　を備えるメモリカード。
【請求項２】
前記アダプタの外観を、提供するサービスに対応した形状にするとともに、
　アダプタの外観に対応したサービスの情報が前記記憶手段に記録され、アダプタの外観によってもサービスを選択可能にしたことを特徴とする請求項１に記載のメモリカード。
【請求項３】
サービスを一意に特定するサービス固有ＩＤが前記アダプタ及び前記記憶手段に格納され、
　前記ＣＰＵ又はＬＳＩは、前記アダプタ及び前記記憶手段から前記サービス固有ＩＤを取得して比較した結果、前記サービス固有ＩＤが一致する場合、外部機器にサービスを提供する請求項１に記載のメモリカード。
【請求項４】
外部機器を一意に特定する装置固有ＩＤが前記アダプタ及び前記外部機器に格納され、
　前記ＣＰＵ又はＬＳＩは、前記アダプタ段及び前記外部機器から前記装置固有ＩＤを取得して比較した結果、前記装置固有ＩＤが一致する場合、外部機器にサービスを提供する請求項１に記載のメモリカード。
【請求項５】
メモリカードを一意に特定するカード固有ＩＤが前記アダプタ及び前記記憶手段に格納され、
　前記ＣＰＵ又はＬＳＩは、前記アダプタ及び前記記憶手段から前記カード固有ＩＤを取得して比較した結果、前記カード固有ＩＤが一致する場合、外部機器にサービスを提供する請求項１に記載のメモリカード。
【請求項６】
前記アダプタは、サービスに関する情報を発信するＩＣタグを備えた請求項１に記載のメモリカード。
【請求項７】
前記ＩＣタグは、選択されたサービスの情報を送信する請求項６に記載のメモリカード。
【請求項８】
前記カード本体は、外部機器に接続されたか否かを検出する外部機器検出手段を備え、
　前記アダプタは、前記カード本体側で外部機器との接続が検出された場合に、前記ＩＣタグからのサービスに関する情報の発信を停止させる制御手段を備えた請求項６に記載のメモリカード。
【請求項９】
前記ＣＰＵ又はＬＳＩは、前記外部機器に前記カード本体を接続したときから所定時間だけ前記検出手段からの検出信号を受ける請求項１に記載のメモリカード。
【請求項１０】
前記アダプタには凹部状又は凸部状のアダプタ側接続端子が設けられるとともに、前記カード本体には、その凹部状又は凸部状のアダプタ側接続端子に嵌合する凸部状又は凹部状の本体側接続端子が設けられ、
　しかも、前記検出手段は、前記カード本体に前記アダプタが接続されているときに前記アダプタ側接続端子と本体側接続端子間に設けられた接点を閉じて導通信号を前記ＣＰＵ又はＬＳＩに送る請求項１に記載のメモリカード。
【請求項１１】
前記アダプタ側接続端子の側面には小突起又は小孔が設けられ、前記本体側接続端子にはその小突起又は小孔に嵌合する形状の部位が設けられている請求項１０に記載のメモリカード。
【請求項１２】
前記アダプタ側接続端子は凸部状でその数が、凹部状の本体側接続端子の数以下であるとともに、
　アダプタ側接続端子の数、その位置又はその数と位置の組み合わせに対応したサービスの情報が前記記憶手段に記録され、アダプタ側接続端子の数、その位置又はその数と位置の組み合わせによってもサービスを選択可能にした請求項１０に記載のメモリカード。
【請求項１３】
前記アダプタ側接続端子は一又は二以上であり、前記接点を有するものと有さないものとが組み合わされたものであるとともに、
　接点を有するか否かのアダプタ側接続端子の組み合わせに対応したサービスの情報が前記記憶手段に記録され、接点を有するか否かのアダプタ側接続端子の組み合わせによってもサービスを選択可能にした請求項１０に記載のメモリカード。
【発明の詳細な説明】
【技術分野】
【０００１】
　本発明は、例えば、少なくともＣＰＵ又はＬＳＩ及び半導体メモリを有し、一枚のカードで複数のサービスを提供することのできるメモリカードに関するものである。
【背景技術】
【０００２】
　最近、半導体メモリ等を内蔵した小型・軽量のＩＣカードが数多く利用されている。１つの例としてその本体３１の大ささを、図２３（ａ）の左側に示した切手サイズのものがよく知られている。
【０００３】
　図２３（ａ）の左側で示すＩＣカードは、その半導体メモリ等を内蔵したＩＣカード本体３１における片面の一方の端縁近傍に半導体メモリ等と外部機器とを電気的に接続する端子３２を設けており、またこのＩＣカード本体３１の平面形状のひとつの角部に傾斜の切り欠き部３３を形成し、ＩＣカードの誤挿入を防止するための識別機能を持たせている。また、カード本体３１の一方の側部には、ＩＣカードを外部機器に挿入した際の保持を強固にするための凹部３４が形成され、他方の側部には、半導体メモリへのデータ書き込み可否を設定する書込可否設定子３６を摺動自在にするための凹部３５が形成されている。書込可否設定子３６の摺動位置により半導体メモリへのデータ書込可否を設定可能に構成している。
【０００４】
　ここで、ＩＣカードにおいて、一枚のカードで複数のサービスを提供可能な多用途ＩＣカードの提案がなされている。例えば、米国Sun Microsystems社が提唱するICカード用のJava（Ｒ）実行処理系である、Java（Ｒ）Cardを搭載することにより実現可能である。
【０００５】
　上記多用途ＩＣカードは、クレジットカード、キャッシュカード、定期券、診察券、保険証、電子マネー等のカードとして使用することが可能となる。具体的には、前記一枚の多用途ＩＣカードを、パソコンに接続されたカードホルダに挿入して、インターネットに接続し、コンサートチケットの購入決済をするだけでなく、そのカードにコンサートチケットを電子的に格納し、コンサート会場においてはその多用途ＩＣカードを電子入場券として使用可能となる。
【０００６】
　また、クレジット機能だけでも複数のクレジットサービス会社の提供するサービスを一枚のカードで利用することができる。当然、図２３（ａ）の左側に示した切手サイズのＩＣカードも上記多用途ＩＣカードとして利用することが可能である。以降、本願におけるＩＣカードは、上記多用途ＩＣカードを対象としたものであるため、以後の説明において、特に断りなく、上記多用途ＩＣカードを単にＩＣカードと呼ぶことにする。
【０００７】
　一方、ＩＣカードのさらなる小型化要望がある。ＩＣカードの用途は多くの場合、携帯端末においてである。例えば、携帯電話において使用する場合、前記切手サイズのＩＣカードでも大きいと考えられている。
【０００８】
　そこで、図２３（ａ）の右側で示すように切手サイズのさらに、半分のサイズのＩＣカードの形状が考えられる。その場合、カード本体３７のサイズを図２３（ａ）で示す通り半分にし、他構成は同様にすることが考えられる。図２３（ｂ）は図２３（ａ）のＩＣカードの側面の形状を示している。
【０００９】
　しかしながら、図２３（ａ）の右側及び（ｂ）で示した例のように、単にＩＣカードの長さ（或いは幅）を小さくした場合、幼児による誤飲等の恐れがある。また、切手サイズのＩＣカード（図２３（ａ）の左側）と電気的互換性を有するとしても、形状が異なるため、誤って切手サイズのＩＣカードに適応する外部機器のコネクタに挿入された場合、コネクタ内部にＩＣカードが収まって機器からの取り出しができなくなる恐れや、コネクタの隙間より外部機器内部に入り込んでしまう恐れがある。
【００１０】
　そのため、この切手サイズの約半分の大きさのＩＣカードを切手サイズのＩＣカードに適応した機器で使用する場合、形状を切手サイズのＩＣカードと一致させるためのアダプタ等が必要となる。
【００１１】
　また、図２３（ａ），（ｂ）で示したＩＣカードの場合、上述したように書込可否設定子３６といったスイッチは設けられているものの、ＩＣカードから提供するサービスをＩＣカードに設けられたスイッチによって選択するようなものは存在しない。
【００１２】
　これに対して、提供するサービスを選択するためのスイッチが設けられたカードが開示されている（例えば、特許文献１参照。）。
【特許文献１】特開平２−２１４３５４号公報（第１−２頁、第１図、第２図）
【発明の開示】
【発明が解決しようとする課題】
【００１３】
　しかしながら、上記公報に記載されたカードは、提供するサービスを選択するスイッチがカード本体に設けられているため、カードの持ち主以外のユーザによって不用意にサービスを利用されてしまう可能性がある。クレジットカード、キャッシュカード、定期券、診察券、保険証、電子マネーなどのセキュリティ性の高い個人情報等を扱うサービスを提供する場合には、カードの持ち主以外に不用意にサービスを利用されてしまうことは問題である。
【００１４】
　また、そのメモリカードは小型であるため、提供するサービスが複数あった場合、それを切り替えて選択するためのスイッチを表面に複数設けることには限度がある。ましてや、メモリカードにＣＰＵ又はＬＳＩを搭載し、同じ大きさにした場合に選択スイッチを複数設けることにはさらに空間的に制約がかかる。
【００１５】
　このことは、図２３（ａ），（ｂ）で示した、ＣＰＵ又はＬＳＩや半導体メモリ等を内蔵した切手サイズあるいはその約半分の大きさのＩＣカードについても同様であり、選択スイッチを複数設けることには制約がある。
【００１６】
　また、一枚で複数のサービスを提供することができるＩＣカードであっても現在提供しているサービスが何であるか、ＩＣカードを外部的に見ただけでは判別することができない場合がある。ましてや、そのＩＣカードがカードホルダに挿入された状態で判別することはさらに困難性を有する。
【００１７】
　そこで本発明は、一枚で複数のサービスを提供することができるＩＣカードにおいて、選択スイッチを外部表面に設けることなくアダプタの取り替えにより提供するサービスの選択を行えるようにすることを目的にする。
【００１８】
　また他の目的は、ＩＣカードを外部的に見ただけで提供する、あるいは提供しているサービスを容易に判別できるようにすることにある。
【課題を解決するための手段】
【００１９】
　上述の目的を達成するために、本発明は、複数のサービスに対応付けられた複数のアプリケーションを実行可能なＩＣカードなどであって、以下の手段を備えるメモリカードを提供する。
【００２０】
　このメモリカードでは、複数のサービスに対応付けられた複数のアプリケーションに関する情報がその記憶手段に格納される。このメモリカードの本体には、脱着自在にアダプタを接続することが可能である。アダプタは、提供されるサービスに対応して用意されており、複数のサービスを任意に切り替えるために、用意されたいずれかのアダプタがカード本体に接続される。検出手段は、アダプタがカード本体に接続されているか否かを検出する。そして、ＣＰＵ又はＬＳＩは、その検出手段からの検出信号に基づいて、選択されるサービスに対応付けられたアプリケーションを実行することにより、そのサービスをインターフェイスを介して外部機器に提供する。
【００２１】
　アダプタは、提供するサービスに対応した形状にするのが好ましい。サービスの識別を容易にするために、アダプタの外観をサービスにより異ならせる。
【００２２】
　また、アダプタに各種の情報を格納する手段を備え、ＣＰＵ又はＬＳＩが提供サービスを管理するためにその情報を利用できるようにしてもよい。例えばサービスを一意に特定するサービス固有ＩＤをカードのアダプタ及び本体の記憶手段に格納する。ＣＰＵ又はＬＳＩは、アダプタ及び記憶手段からサービス固有ＩＤを取得し、両者を比較する。その結果、両者が一致した場合に、アダプタによるサービスの選択を有効にし、選択されたサービスを外部機器に提供する。
【００２３】
　さらに、外部機器を一意に特定する装置固有ＩＤをアダプタ及び外部機器に格納することもできる。その場合、ＣＰＵ又はＬＳＩは、アダプタ及び外部機器から装置固有ＩＤを取得し、両者を比較する。その結果、両者が一致した場合に、外部機器にサービスを提供する。
【００２４】
　さらに、メモリカードを一意に特定するカード固有ＩＤをアダプタ及び本体の記憶手段に格納するようにしてもよい。その場合、ＣＰＵ又はＬＳＩは、アダプタ及び記憶手段からカード固有ＩＤを取得し、両者を比較する。その結果、両者が一致した場合に、外部機器にサービスを提供する。
【００２５】
　また、アダプタに、サービスに関する情報を非接触又は接触通信で発信するＩＣタグを設けるようにしてもよい。このＩＣタグは、カード本体から供給された情報に従って、選択されたサービスの情報を送信するのに用いることができる。
【００２６】
　カード本体に、外部機器と接続されたか否かを検出する手段を設け、カード本体側で外部機器との接続が検出された場合に、ＩＣタグからのサービスに関する情報の発信を停止させる制御手段をアダプタに設けることで、サービス情報の発信を制御するようにしてもよい。
【００２７】
　ＣＰＵ又はＬＳＩは、外部機器にカード本体を接続したときから所定時間だけ検出手段からの検出信号を受けるようにしてもよい。なお、ここでいう所定時間には、カード本体を外部機器に接続した瞬間も含まれる。
【００２８】
　アダプタにカード本体が接続されているか否かをＣＰＵ又はＬＳＩに通知するために、アダプタに凹部状又は凸部状のアダプタ側接続端子を設け、カード本体に、その凹部状又は凸部状のアダプタ側接続端子に嵌合する凸部状又は凹部状の本体側接続端子を設けるようにしてもよい。この場合、検出手段は、カード本体にアダプタが接続されているときにアダプタ側接続端子と本体側接続端子間に設けられた接点を閉じて導通信号をＣＰＵ又はＬＳＩに送る。
【００２９】
　また、アダプタと本体との接続を確実に保持するために、アダプタ側接続端子の側面に小突起又は小孔を設け、本体側接続端子にその小突起又は小孔に嵌合する形状の部位を設けるようにしてもよい。
【００３０】
　アダプタ側接続端子は、凸部状でその数が凹部状の本体側接続端子の数以下にすることができる。このとき、記憶手段には、アダプタ側接続端子の数、その位置又はその数と位置の組み合わせに対応したサービスの情報が格納される。
【００３１】
　さらに、アダプタ側接続端子は一又は二以上であり、接点を有するものと有さないものとが組み合わされたものであってもよい。このとき、記憶手段には、接点を有するか否かのアダプタ側接続端子の組み合わせに対応したサービスの情報が格納される。
【発明の効果】
【００３２】
　本発明では、カード本体にアダプタを接続するだけでサービスを外部機器に提供するようにしたので、サービスを提供するにあたり特に選択スイッチをカード本体の外部表面に設ける必要がない。すなわち、アダプタ自体がサービスを提供するためのスイッチの役割を果たす。
【００３３】
　また、アダプタの形状が提供するサービスに対応した形状であれば、カード本体にアダプタを接続した状態で、これから提供しようとする、あるいは既に提供中のサービスが何であるかを一目瞭然に認識することができる。
【００３４】
　また、カード本体とアダプタの両方から取得したサービス固有ＩＤが一致した場合に、選択されたサービスを外部機器に提供することによって、カード本体を紛失したようなときでも、偽造されたアダプタを利用して、不正にサービスが使用されるのを防止することができる。
【００３５】
　また、外部機器とアダプタの両方から取得した装置固有ＩＤが一致した場合に、選択されたサービスを外部機器に提供することによって、本体にアダプタが接続されたカードを紛失したようなときでも、悪意ある第三者によって不正に使用されるのを防止することができる。
【００３６】
　また、カード本体とアダプタの両方から取得したカード固有ＩＤが一致した場合に、選択されたサービスを外部機器に提供することによって、アダプタを紛失したようなときでも、アダプタが不正に使用されるのを防止することができる。
【００３７】
　また、アダプタにＩＣタグを備えることによって、ユーザはサービスの情報を容易に確認することができる。
【００３８】
　さらに、カード本体が外部機器と接続されている間、サービスの情報を停止することによって、不必要にその情報が漏れてしまうのを避けることができる。
【００３９】
　また、ＣＰＵ又はＬＳＩが、外部機器にカード本体を接続したときから所定時間だけ検出手段からの検出信号を受けるようにすることによって、アダプタが接続されているカード本体を外部機器に一旦接続した後に、アダプタのみがカード本体から外れるような不測の事態が発生しても、そのことによりサービスが切り替わることはない。
【００４０】
　特にアダプタとカード本体との接続を、凹部状のアダプタ側接続端子と凸部状の本体側接続端子を嵌合することにより、あるいは、逆に凸部状のアダプタ側接続端子と凹部状の本体側接続端子を嵌合することにより、容易に外れることが防止されるとともに、接続も簡単に行える。また接続されているか否かを、アダプタ側接続端子と本体側接続端子間に設けられた接点を閉じて導通信号を送るといったように電気的に行うことにより接続か否かを容易にしかも瞬時に判断することができる。
【００４１】
　またアダプタ側接続端子の側面に小突起又は小孔が設け、本体側接続端子にはその小突起又は小孔に嵌合する形状の部位を設けることによって、例えば、アダプタ側接続端子の側面に小突起が設けられた場合には、それに対応する形状の小孔を本体側接続端子に設け、あるいは、アダプタ側接続端子の側面に小孔が設けられた場合には、それに対応する形状の小突起を本体側接続端子に設けることによって、アダプタとカード本体との接続時の嵌合力は高められる。よって、一層のアダプタの抜け，外れ防止が図られる。
【００４２】
　またカード本体に接続されるアダプタの接続部の形状を提供するサービスに対応して種々異なるものにすることによって、例えば、凸部状のアダプタ側接続端子の数を、凹部状の本体側接続端子の数以下として、アダプタ側接続端子の数やその位置、それらの組み合わせに対応して各サービスを提供するようにしたり、あるいは、接点を有するものと有さないものとを組み合わせたアダプタ側接続端子のその組み合わせに対応して異なるサービスを提供するようにすることによって、それら複数のサービス選択用のスイッチをカード本体の外部表面に設ける必要もなくなる。
【発明を実施するための最良の形態】
【００４３】
　以下、本発明の実施の形態について、図面を用いて説明する。各実施の形態では、本発明のメモリカードをＩＣカードとして具体化している。
【００４４】
　　（実施の形態１）　図１〜図５を参照して本発明の第１の実施の形態におけるＩＣカード１について説明する。このＩＣカード１は、一枚のカードで複数のサービスを提供することのできるＩＣカードであり、記憶手段Ｍ（特に限定されるものではないが、例えば半導体メモリで構成）と、ＩＣカード１全体を制御し、記憶手段Ｍから情報を読み出して外部機器（図示しない）に選択されたサービスを提供するＣＰＵ（これにかえ、ＬＳＩであってもよい）１００が内蔵されている。ここで複数のサービスとは、クレジットカード，キャッシュカード，定期券，診察券，保険証，電子マネーなどの機能を得られることをいう。
【００４５】
　図１で示すように、このＩＣカード１は、カード本体１０ａとアダプタ２０ａとからなり、アダプタ２０ａはカード本体１０ａに対して脱着自在に接続されるようになっている。カード本体１０ａにアダプタ２０ａが接続されているときの大きさは、切手サイズであり、外観上、図２３（ａ）の左側に示したＩＣカードと同様である。なお、カード本体１０ａの大きさは切手サイズの約半分であり、図２３（ａ）の右側に示したＩＣカードと同様である。これによれば、平面形状の外形を一定（切手サイズ）の大きさに確保しながら、その容積を小容積としたカードを提供でき、平面形状の外形が一定（切手サイズ）の大きさである特定のＩＣカードに適応した機器で使用可能である。
【００４６】
　カード本体１０ａの片面側の一方の端縁近傍には記憶手段Ｍ，ＣＰＵ１００と外部機器とを電気的に接続する端子４を設けており、またカード本体１０ａの平面形状のひとつの角部には傾斜の切り欠き部５を形成し、ＩＣカード１の誤挿入を防止するための識別機能を持たせている。また、カード本体１０ａの一方の側部には、ＩＣカード１を外部機器に挿入した際に保持を強固にするための凹部６が形成され、他方の側部には、記憶手段Ｍへのデータの書き込み可否を設定する書込可否設定子８を摺動自在に設けるための凹部７が形成されている。この書込可否設定子８の摺動位置により記憶手段Ｍへのデータの書込可否を設定可能にするものであるが、本発明の実施の形態においては不可欠なものではない。
【００４７】
　そして、図１に示すように、カード本体１０ａの端子４が設けられた側とは逆側の端面Ｖには、３つの凹部状の本体側接続端子１１ａが設けられ、また、図２に示すように、アダプタ２０ａのカード本体１０ａ側の端面Ｗには、３つの凸部状のアダプタ側接続端子２１ａが設けられている。本体側接続端子１１ａとアダプタ側接続端子２１ａとは互いに嵌合する形状であり設置間隔も同一にしてある。カード本体１０ａとアダプタ２０ａとは厚みと相対向する横幅が同一であり、本体側接続端子１１ａとアダプタ側接続端子２１ａとが嵌合し一体化した状態で、切手サイズの矩形状になる。
【００４８】
　また、図３（ａ）に示すように、アダプタ側接続端子２１ａの端面には板状の接点Ｓａが設けられ、アダプタ２０ａがカード本体１０ａに接続されているときに、その接点Ｓａが、本体側接続端子１１ａの端面に設けられた板状の２つの接点Ｍａ，Ｍｂの両方に接して接点を閉じるようになっている。
【００４９】
　なお、接点は、アダプタ側接続端子２１ａが本体側接続端子１１ａに嵌合したときに閉じられるような形状であればよいので、図３（ａ）で示したような板状のものに限定されるものではない。例えば図３（ｂ）に示すように、凹部状の本体側接続端子１１ａ側に先端が湾曲した鉤状の接点Ｍｃ，Ｍｄを間隔をあけて設けて、アダプタ側接続端子２１ａが本体側接続端子１１ａに嵌合したときに、間隔を埋めて両接点Ｍｃ，Ｍｄが閉じられるようにするものでもよい。
【００５０】
　なお、本実施の形態では、カード本体１０ａに凹部状の本体側接続端子１１ａを設け、アダプタ２０ａに凸部状のアダプタ側接続端子２１ａを設けたが、これらの形状は両者が嵌合すればよいので、カード本体１０ａに凸部状の本体側接続端子を設け、アダプタ２０ａに凹部状のアダプタ側接続端子を設けるようにしてもよい。
【００５１】
　図４に、ＩＣカード１の電気的構成（書込可否設定子８を省略した場合）の概要を示す。
【００５２】
　ＩＣカード１に内蔵された基板には、端子４を介して外部機器からアクセス命令等を受けるインターフェイス１０１と、ＣＰＵ１００と、凸部状のアダプタ側接続端子２１ａが接続されているか否かを検出する突起検出手段１１０と、複数のサービスに関するアプリケーションの情報が記録された記憶手段Ｍと、ＣＰＵ１００と記憶手段Ｍとの間のデータライン，アドレスライン，制御ラインのうち、アドレスライン及び制御ラインに設けられ、突起検出手段１１０からの信号を受けるアクセス制御手段１０２が設けられている。記憶手段Ｍの有する記憶領域Ｍ１〜３にはサービスに関するアプリケーションを実行するためのプログラム乃至データが格納されている。突起検出手段１１０が突起を検出すると、アクセス制御手段１０２は突起検出手段１１０が検出した突起の位置に応じたアドレスと制御線を選択してＣＰＵ１００がアクセス可能となる記憶領域を決定するので、ＣＰＵ１００は選択された記憶領域のみとのアクセスが可能になる。またＣＰＵ１００は、インターフェイス１０１を介して外部機器にカード本体１０ａを接続したときから所定時間だけ突起検出手段１１０からの検出信号を受けるようになっていて、外部機器にアダプタ２０ａ付きのカード本体１０ａを接続した状態でアダプタ２０ａのみが外れる状態が発生してサービスが切り替わることを防止している。なお、アクセス制御手段１０２での処理をＣＰＵ１００に兼用させることもできる。
【００５３】
　図５（ａ）に示すアダプタ２０ｂでは、３つのアダプタ側接続端子２１ａのうち、左側の端子だけに接点Ｓａが設けられている。このアダプタ２０ｂがカード本体１０ａに接続されると、その左側の端子は、カード本体１０ａの本体側接続端子１１ａに嵌合する。その状態で、接点Ｓａは、その本体側接続端子１１ａに設けられた接点Ｍａ，Ｍｂと接する。これによって、導通信号がアクセス手段１０２を介してＣＰＵ１００に送られる。そして、アクセス制御手段１０２での処理によりＣＰＵ１００は記憶領域Ｍ１にのみアクセスが可能になるように設定される。これにより、記憶領域Ｍ１，記憶領域Ｍ２，記憶領域Ｍ３にそれぞれＸ社用クレジットカード，Ｙ社用クレジットカード，Ｚ社用クレジットカードに関するプログラムが格納されていれば、Ｘ社用クレジットカードが選択されることになる。また、記憶領域Ｍ１，記憶領域Ｍ２，記憶領域Ｍ３にそれぞれクレッドカード，キャッシュカード，定期券に関するプログラムが格納されていれば、クレジットカードが選択されることになる。
【００５４】
　同様に、図５（ｂ）に示すアダプタ２０ｃでは、３つのアダプタ側接続端子２１ａのうち、中央の端子だけに接点Ｓａが設けられている。このアダプタ２０ｃがカード本体１０ａに接続されると、アクセス制御手段１０２での処理によりＣＰＵ１００は記憶領域Ｍ２にのみアクセスが可能になるように設定される。これにより、記憶領域Ｍ２に格納されたＹ社用クレジットカードあるいはキャッシュカードに関するプログラムに基づいて、Ｙ社用クレジットカードあるいはキャッシュカードが選択されることになる。
【００５５】
　また、同様に、図５（ｃ）に示すアダプタ２０ｄでは、３つのアダプタ側接続端子２１ａのうち、右側の端子だけに接点Ｓａが設けられている。このアダプタ２０ｄがカード本体１０ａに接続されると、アクセス制御手段１０２での処理によりＣＰＵ１００は記憶領域Ｍ３にのみアクセスが可能になるように設定される。これにより、記憶領域Ｍ３に格納されたＺ社用クレジットカードあるいは定期券に関するプログラムに基づいて、Ｚ社用クレジットカードあるいは定期券が選択されることになる。
【００５６】
　このように、カード本体１０ａに対して、アダプタ２０（２０ａ〜２０ｄ）を接続するか否かによって、サービスを提供するか否かが決定されるので、特にサービスを提供するか否かを選択するスイッチを、カード本体１０ａの表面に設ける必要はない。その上、アダプタの種類に応じた複数のサービスを提供することができるので、複数の切り替えを有する選択スイッチをカード本体１０ａの表面に設ける必要もない。アダプタを適宜取り替えることで、所望のサービスを選択することができる。
【００５７】
　なお、ここではサービスに対応して記憶領域を３つ設けるようにしたが、その数に限定されるものではない。
【００５８】
　　（実施の形態２）　上述した実施の形態１では、アダプタ２０（２０ａ〜２０ｄ）の種類に対応して、一つのサービスに一つの記憶領域を対応させるようにしたが、複数の記憶領域を選択して組み合わせることにより一つのサービスを選択できるようにしてもよい。
【００５９】
　例えば、図６（ａ）に示すように、３つのアダプタ側接続端子２１ａのうち左側の端子と右側の端子に接点Ｓａが設けられたアダプタ２０ｅが、カード本体１０ａに接続されると、アクセス制御手段１０２での処理によりＣＰＵ１００は記憶領域Ｍ１と記憶領域Ｍ３にアクセスが可能になるように設定し、記憶領域Ｍ１，Ｍ３の組み合わせにより、新たなサービスを提供するようにすることができる。あるいは、図６（ｂ）に示すように、３つのアダプタ側接続端子２１ａのうち中央の端子と左側の端子に接点Ｓａが設けられたアダプタ２０ｆが、カード本体１０ａに接続されると、アクセス制御手段１０２での処理によりＣＰＵ１００は記憶領域Ｍ１と記憶領域Ｍ２にアクセスが可能になるように設定し、記憶領域Ｍ１，Ｍ２の組み合わせにより、別の新たなサービスを提供するようにすることもできる。
【００６０】
　これによれば、アダプタ側接続端子２１ａが３つの場合、接点Ｓａが設けられる端子を組み合わせて、左側，中央，右側の端子に関して、無無無（アダプタを接続しない場合と同様だが形状は切手サイズ），無無有（右側の端子に接点有），無有（中央の端子に接点有）無，無有有，有（左側の端子に接点有）無無，有無有，有有無，有有有，の８通りにすることができる。したがって、接点の数やその位置の組み合わせに対応して７種類の異なるサービスとサービス無の状態を、特に選択スイッチを設けることなく、種類の異なるアダプタを接続するだけで提供することが可能となる。
【００６１】
　このように、種類の異なるアダプタとしては、図７に示すように、凸部状のアダプタ側接続端子２１ａを設けるかわりに、その位置の端面に、接点Ｓａを埋め込むようにしてもよい。図７（ａ）のアダプタ２０ｇは、図６（ａ）のアダプタ２０ｅに相応し、図７（ｂ）のアダプタ２０ｈは、図６（ｂ）のアダプタ２０ｆに相応している。この場合、アダプタ２０ｇとカード本体１０ｂとの接続時の嵌合は、例えば、図８に示すように、Ｔ字状に突出した頭部２１ｂがカード本体１０ｂに形成された凹溝部１１ｂに案内されることにより行われる。頭部２１ｂの端面に接点Ｓａが埋められ、これに対応する凹溝部１１ｂに接点Ｍａ，Ｍｂが埋設されている。
【００６２】
　また、接点の数や位置を異ならせる代わりに、図９に示すように、接点Ｓａが設けられた凸部状のアダプタ側接続端子２１ａの個数や位置によってアダプタの種類を異なるようにしてもよい。この場合、アダプタ側接続端子２１ａの数は、凹部状の本体側接続端子１１ａの数以下であり、例えば、図１に示すように、本体側接続端子１１ａが３個であると、アダプタ側接続端子２１ａは、図９（ａ）に示すように、左側に設けたアダプタ２０ｉ，図９（ｂ）に示すように、左側と中央に設けたアダプタ２０ｊ，図９（ｃ）に示すように左側と右側に設けたアダプタ２０ｋ，の他、左中右，中だけ，中右，右だけ，の７種類のアダプタを用意することができ、７種類の異なるサービスを提供することができる。さらに、アダプタ側接続端子２１ａの個数のみや位置のみを異ならせても、複数種類のアダプタを用意することができる。
【００６３】
　また、図１０（ａ）に示すように、カード本体１０ｃの端面からピン状の接点Ｍｅが複数（ここでは７本とした）突出しているような場合、図１０（ｂ），（ｃ）に示すように、それぞれの接点Ｍｅに嵌合する凹部状の接点Ｓｂをアダプタ２０ｌ，２０ｍの端面に設けるようにしてもよい。この場合、アダプタ側の接点Ｓｂの一部又は全部は、アダプタの内部で互いに回路的に接続される。アダプタの種類は、回路的に接続されたアダプタ側の接点Ｓｂによって異なる。図１０（ｂ）の例では、図面上右から１番目と３番目と５番目の接点Ｓｂが回路的に接続されている。図１０（ｃ）の例では、右から１番目と６番目の接点Ｓｂが回路的に接続されている。カード本体１０ｃは、自身に接続されたアダプタの各接点Ｓｂ間の導通確認を行うことによって、電気的にアダプタの種類を区別することができる。このように、回路的に接続される接点Ｓｂの数や位置を異ならせることでも、複数種のアダプタを用意し、それに対応して複数のサービスを提供することができる。
【００６４】
　　（実施の形態３）　上述した実施の形態１では、アダプタ２０ａの端面に矩形状に突出した凸部状のアダプタ側接続端子２１ａを設け、カード本体１０ａにそれに嵌合する形状の凹部状の本体側接続端子１１ａを設けたが、図１１（ａ）に示すように、アダプタ側接続端子２１ａの両側面に小孔２２を形成するとともに、本体側接続端子１１ａの両側面にその小孔２２に嵌合する形状の小突起１２を設けて、アダプタ側接続端子２１ａと本体側接続端子１１ａとの嵌合力を高めるようにしてもよい。
【００６５】
　また、図１１（ｂ）に示すように、アダプタ２０ａの端面に略Ｌ字状のアダプタ側接続端子２１ｃを突設するとともに、カード本体１０ａにそれに嵌合する略Ｌ字状の凹状部からなる本体側接続端子１１ｃを設け、アダプタ側接続端子２１ｃを本体側接続端子１１ｃに対して縦方向（図１１では紙面の下方向）に移動して挿入した後、横方向（図１１では紙面の右方向）にスライドすることによってアダプタ２０ａとカード本体１０ａとを嵌合させ、アダプタ側接続端子２１ｃの先端に設けた接点Ｓａを、本体側接続端子１１ｃの奥壁に設けた接点Ｍａ，Ｍｂに接するようにして、アダプタ側接続端子２１ｃと本体側接続端子１１ｃとの嵌合力を高めるようにしてもよい。
【００６６】
　　（実施の形態４）　上述した実施の形態１乃至３のようなアダプタ２０（２０ａ〜２０ｍ）をカード本体１０（１０ａ〜１０ｃ）に接続した状態では、アダプタ側接続端子をユーザが見るのは困難なこともある。アダプタ２０の種類が区別できなければ、どのサービスが提供されているのかユーザはわからない。
【００６７】
　そこで、図１２に示すように、アダプタ２０ｎ〜２０ｑの外観は、提供するサービスに対応した形状にするのが好ましい。これによって、ユーザは、提供される、あるいは既に提供されているサービスが何であるかを瞬時にしかも容易に認識することができる。
【００６８】
　例えば、図１２（ａ）のアダプタ２０ｎには左側のアダプタ側接続端子２１ａだけに接点Ｓａが設けられ、提供するサービスとしては例えばメールツールを割り当てる。図１２（ｂ）のアダプタ２０ｏには左側と中央のアダプタ側接続端子２１ａに接点Ｓａが設けられ、提供するサービスとしては例えば動物図鑑アプリケーションを割り当てる。図１２（ｃ）のアダプタ２０ｐには、左側と右側のアダプタ側接続端子２１ａに接点Ｓａが設けられ、提供するサービスとしては例えば読書用アプリケーションを割り当てる。図１２（ｄ）のアダプタ２０ｑには、中央と右側のアダプタ側接続端子２１ａに接点Ｓａが設けられ、提供するサービスとしては例えばイニシャル“Ｔ．Ｏ”専用サービスを割り当てる。
【００６９】
　例えば、アダプタ２０ｎ〜２０ｑの外観を登録商標の形とし、上記アダプタ側接続端子２１ａの接点Ｓａ位置に対応させることで、外部からカードがどのサービスを提供しているのかを容易に認識することができる。
【００７０】
　　（実施の形態５）　アダプタ２０は、上述した各実施の形態のようにサービスを物理的に選択するために利用するだけでなく、別の用途にも利用することもできる。例えばアダプタ２０に各種の情報を格納すれば、カード本体１０のＣＰＵ１００は、サービスの提供を管理するために、その情報を利用することができる。この実施の形態では、図１３に示すように、外部機器を一意に特定する装置固有ＩＤを格納するためのメモリ２０１をアダプタ２０に設けている。このメモリ２０１に格納される装置固有ＩＤは、外部機器から予め取得されたものであり、例えばユーザが所有している個人情報端末に固有のＩＤである。ユーザが新しくカード本体１０やアダプタ２０を入手したときなどに個人情報端末上で指示を行えば、カード本体１０がその指示に従い、その個人情報端末から装置固有ＩＤを取得し、アダプタ２０のメモリ２０１に格納する。
【００７１】
　図１３に示すように、カード本体１０には、このメモリ２０１にアクセスするためのアダプタアクセス手段１５１が設けられる。アダプタアクセス手段１５１は、カード本体側の端子１５２及びアダプタ側の端子２０２を介してメモリ２０１と接続される。アダプタアクセス手段１５１は、例えばメモリ２０１に装置固有ＩＤが格納されていないときのみ、ＣＰＵ１００から入力された装置固有ＩＤをメモリ２０１に書き込む。また、ＣＰＵ１００からの要求に従ってメモリ２０１から装置固有ＩＤを読み出し、読み出した装置固有ＩＤをＣＰＵ１００に出力する。
【００７２】
　ＩＣカード１が個人情報端末のカードスロットに挿入されると、ＣＰＵ１００は、その個人情報端末とアダプタ２０から装置固有ＩＤを取得し、取得した装置固有ＩＤを比較する。両方の装置固有ＩＤが一致した場合、ＣＰＵ１００は、その個人情報端末でＩＣカード１が利用可能であると判定し、アダプタ２０を用いて選択されたサービスをその個人情報端末に提供する。一方、両方の装置固有ＩＤが相違する場合、ＣＰＵ１００は、その個人情報端末でＩＣカード１が利用できないと判定し、物理的にはアダプタ２０を用いてサービスが選択されていても、そのサービスをその個人情報端末に提供しない。すなわち、両方の装置固有ＩＤが一致した場合にのみソフトウェア的なロックが解除され、ユーザは、その個人情報端末上でサービスを利用することができる。両方の装置固有ＩＤが一致するのは、通常外部機器とその外部機器に接続されたＩＣカード１の所有者が一致する場合である。このため、ＩＣカードを紛失したようなときでも、悪意ある第三者によって不正に使用されるのを防止することができる。
【００７３】
　両方の装置固有ＩＤが相違する場合には、例えば図１４（ａ）に示すように、その外部機器ではＩＣカード１が利用できない旨を個人情報端末３００のディスプレイ３０１上に表示したり、サービスが利用できない旨を表示したりするようにしてもよい。また、ＩＣカード１の所有者を示す情報をメモリ２０１に記憶しておけば、図１４（ｂ）に示すように、ディスプレイ３０１上にそのＩＣカード１の所有者を表示して、警告を行うことも可能である。
【００７４】
　また、所有者や正当なユーザ、利用権限の範囲などを知らせる警告メッセージが確認される前には、サービスの提供を禁止しても、そのメッセージが確認された後には、そのサービスの提供を許可するようにしてもよい。このように、警告メッセージを表示し、そのメッセージが確認された後であれば、サービスを提供するようにしても、正当なユーザ以外の者による乱用は抑止することができる。また、警告メッセージを表示するだけでなく、警告音を鳴らしたり、表示を点滅させたりするようにしてもよい。
【００７５】
　さらに、両者の装置固有ＩＤが相違する場合でも、予め特定の情報へのアクセスや特定のサービスの利用について許可が与えられていれば、その情報へのアクセスやそのサービスへの利用については、上述のようなメッセージを表示しないようにしてもよい。
【００７６】
　なお、外部機器に装着されたカード本体１０にアダプタ２０が接続されていなければ、アダプタ２０が接続されていない旨を知らせるメッセージを外部機器で表示するようにしてもよい。
【００７７】
　また、ＣＰＵ１００は、カード本体１０に記憶された暗号鍵を用いて、メモリ２０１に書き込まれる装置固有ＩＤを暗号化するようにしてもよい。メモリ２０１から装置固有ＩＤの暗号文が読み出されたときには、その暗号鍵に対応する復号鍵を用いて、その装置固有ＩＤを復元する。装置固有ＩＤの比較は外部機器側で行うことも可能であるが、ＩＣカードでは、タンパレジスタモジュールなどを利用して、記憶された情報により強固なセキュリティが施されるため、不正使用を防止するのが容易になる。
【００７８】
　　（実施の形態６）　上述の実施の形態５では、アダプタ２０に外部機器の装置固有ＩＤを格納したが、その代わりに又はそれに加えて、ＩＣカードを一意に特定するカード固有ＩＤをアダプタ２０のメモリ２０１に格納するようにしてもよい。このカード固有ＩＤは、例えばユーザが新しくアダプタ２０を入手したときなどにカード本体１０から取得されたものである。
【００７９】
　図１５に示すように、この実施の形態では、カード本体１０にそのカードに固有のＩＤを格納するための記憶領域Ｍ４が設けられている。ＣＰＵ１００は、外部機器からの指示に従って、その記憶領域Ｍ４からカード固有ＩＤを読み出し、アダプタアクセス手段１５１にそのカード固有ＩＤを出力する。アダプタアクセス手段１５１は、例えばメモリ２０１にカード固有ＩＤが格納されていないときにのみ、ＣＰＵ１００から与えられたカード固有ＩＤをメモリ２０１に書き込む。また、アダプタアクセス手段１５１は、ＣＰＵ１００からの要求に従ってメモリ２０１からカード固有ＩＤを読み出し、読み出したカード固有ＩＤをＣＰＵ１００に出力する。
【００８０】
　ＩＣカード１が外部機器のカードスロットに挿入されると、ＣＰＵ１００は、記憶領域Ｍ４とアダプタ２０からカード固有ＩＤを取得し、取得したカード固有ＩＤを比較する。両方のカード固有ＩＤが一致した場合、ＣＰＵ１００は、そのアダプタ２０が利用できると判定し、アダプタ２０を用いて選択されたサービスをその外部機器に提供する。一方、両方のカード固有ＩＤが相違する場合、ＣＰＵ１００は、そのアダプタ２０が利用できないと判定し、物理的にはアダプタ２０を用いてサービスが選択されていても、そのサービスをその外部機器に提供しない。すなわち、両方のカード固有ＩＤが一致した場合にのみソフトウェア的なロックが解除され、ユーザは、外部機器でサービスを利用することができる。従って、ユーザがアダプタ２０を紛失したときでも、アダプタ２０が不正に使用されるのを防止することができる。例えばコンサートのチケットを購入した特典として、その購入者にのみ特定の映像コンテンツを視聴するサービスを提供するために、そのサービスに対応するアダプタが購入者に配布されるものとする。そのような場合に、購入者のカードに固有のＩＤをそのアダプタに格納しておくことによって、配布者以外の者が不正にそのアダプタを入手したとしても、その映像を視聴するのを防止することができる。
【００８１】
　なお、両方のカード固有ＩＤが相違する場合には、図１６に示すように、そのカードではアダプタが利用できない旨を表示するようにしてもよい。さらに、実施の形態５と同様に、警告を行うようにしてもよい。
【００８２】
　　（実施の形態７）　実施の形態５又は６で説明したように装置固有ＩＤやカード固有ＩＤをアダプタ２０に格納する代わりに、又はそれらに加えて、サービスを一意に特定するサービス固有ＩＤをアダプタ２０のメモリ２０１に格納するようにしてもよい。このサービス固有ＩＤは、アダプタの生産時や出荷時などに予め書き込まれたものである。
【００８３】
　図１７に示すように、カード本体１０には、実施の形態５で説明したものと基本的に同様の電気的構成を有するものを利用することができる。この実施の形態では、記憶領域Ｍ１乃至Ｍ３に、それぞれが対応するサービスに固有のＩＤが格納されている。各記憶領域へのサービス固有ＩＤの格納は、例えばそのサービスがカード本体１０にダウンロードされたときに行われる。カード本体１０のアダプタアクセス手段１５１は、ＣＰＵ１００からの要求に従ってメモリ２０１からサービス固有ＩＤを読み出し、ＣＰＵ１００に出力する。
【００８４】
　ＩＣカード１が外部機器のカードスロットに挿入されると、ＣＰＵ１００は、アダプタ２０を用いて物理的に選択されているサービスに対応する記憶領域から、そのサービスの固有ＩＤを取得する。そして、アダプタ２０から取得されたサービス固有ＩＤと記憶領域から取得したサービス固有ＩＤとを比較する。両方のサービス固有ＩＤが一致した場合、ＣＰＵ１００は、物理的な選択が有効であると判定し、選択されたサービスを外部機器に提供する。一方、両方のサービス固有ＩＤが相違する場合、ＣＰＵ１００は、物理的な選択が無効であると判定し、選択されたサービスを外部機器に提供しない。すなわち、両方のサービス固有ＩＤが一致した場合にのみソフトウェア的にもその選択が有効となり、ユーザは、選択されたサービスを外部機器で利用することができる。従って、カード本体１０を紛失したようなときでも、偽造されたアダプタを利用して、不正にサービスが使用されるのを防止することができる。
【００８５】
　なお、両方のサービス固有ＩＤが相違する場合には、図１８に示すように、サービスが利用できない旨を表示するようにしてもよい。さらに、実施の形態５と同様に、警告を行うようにしてもよい。
【００８６】
　また、装置固有ＩＤ、カード固有ＩＤ及びサービス固有ＩＤを適宜組み合わせて、サービスの提供を管理することにより、より確実に不正使用を防止することができる。
【００８７】
　また、実施の形態５乃至７では、装置固有ＩＤや、カード固有ＩＤ、サービス固有ＩＤをメモリ２０１に格納したが、これに限られるものではない。例えばアダプタ２０にＩＣタグを内蔵し、そのＩＣタグが有するＩＣチップに、それらのＩＤを格納するようにしてもよい。
【００８８】
　　（実施の形態８）
　この実施の形態では、図１９に示すように、アダプタ２０がＲＦＩＣタグ４００を内蔵している。このＲＦＩＣタグ４００は、サービスに関する情報を外部機器へ発信するのに用いられる。ＲＦＩＣタグ４００は、外部機器と無線通信を行うための外部インターフェイス４０１を備えている。この外部インターフェイス４０１は、アンテナや変復調回路を含む。
【００８９】
　アンテナが対応する無線インターフェイスを有する外部機器から電波を受信すると、電源供給手段４０２は、その電波から電力を取り出し、ＲＦＩＣタグ４００の各回路をその電力で駆動する。さらに、アダプタ２０が接続されたカード本体１０へ、アダプタ２０側の端子２０３及びカード本体１０側の端子１５３を介して電力を供給する。カード本体１０の電源管理手段１５４は、カード本体１０が外部機器に接続されていないとき、アダプタ２０から供給された電力でＣＰＵ１００などのカード本体１０の各回路を駆動したり、省電力管理を行ったりする。
【００９０】
　また、電源供給手段４０２から電力が供給されると、アダプタ２０のカードアクセス手段４０３は、アダプタ２０側の端子２０２及びカード本体１０側の端子１５２を介して、サービスに関する情報の転送要求をＣＰＵ１００に対して送信する。この要求を受信すると、ＣＰＵ１００は、例えばそのアダプタ２０を用いて選択されたサービスに対応する記憶領域からそのサービスの情報を取得する。このサービスの情報は、サービスの名称やサービスの内容説明などである。ＣＰＵ１００に取得されたサービスの情報は、カードアクセス手段４０３に供給される。カードアクセス手段４０３は、サービスの情報が供給されると、その情報を外部インターフェイス４０１から発信させる。
【００９１】
　発信されたサービスの情報を外部機器が受信すれば、その外部機器にＩＣカード１が接続されていなくても、図２０に示すように、そのサービスの情報をその外部機器３００のディスプレイ３０１上に表示することができる。図２０の例では、サービスの内容が表示されている。ユーザは、この表示を参照することで、選択されているサービスを容易に知ることができる。
【００９２】
　ここで、選択されたサービスの情報を発信する代わりに、例えばＣＰＵ１００が提供可能な全てのサービスの情報を発信するようにしてもよい。
【００９３】
　ところで、ＩＣカード１が外部機器に接続されると、カード本体１０と外部機器とがインターフェイス１０１を介して直接通信を行うことが可能になるので、アダプタ２０とその外部機器とが直接通信を行う必要性は小さくなる。また、ＩＣカード１が外部機器に接続されている間に無線通信が傍受されることにより、どのようなサービスがその外部機器に提供されているのかを第三者に知られてしまう可能性もある。
【００９４】
　この実施の形態では、提供されているサービスの内容が不必要に漏れるのを避けるため、カード本体１０が外部機器検出手段１５５を備える。この外部機器検出手段１５５は、カード本体１０が外部機器に接続されたか否かを検出し、カード本体１０側の端子１５６及びアダプタ２０側の端子２０４を介して、その検出結果をアダプタ２０の制御手段４０４へ出力する。
【００９５】
　制御手段４０４は、カード本体１０側で外部機器との接続が検出された場合に、外部インターフェイス４０１からのサービスに関する情報の発信を停止させる。外部機器からの要求があっても、外部機器に接続されている間は、サービスの情報が発信されない。
【００９６】
　ユーザは、外部機器にＩＣカードを接続していないときには簡単にサービスの内容を知ることができ、しかも外部機器にＩＣカードが接続されている間は、不必要にサービスの内容が漏れることを恐れないで済む。
【００９７】
　なお、この実施の形態では、アダプタ２０にＲＦＩＣタグ４００を設けたが、カード本体１０やメモリカードにＲＦＩＣタグ４００を設けることもできる。図２１に示すように、ＲＦＩＣタグ４００を備えるメモリカード５０の電気的構成は、上述したカード本体１０の構成と基本的に同様である。カード本体１０やメモリカードから提供されるサービスやデータに関する情報をＲＦＩＣタグ４００から発信することで、ユーザは、サービスやデータの内容を容易に把握することが可能となる。
【００９８】
　また、サービスの情報を発信する手段として、ＲＦＩＣタグ以外の発信手段を用いるようにしてもよい。例えば非接触ＩＣカードの形状を上述のアダプタと同様に成形する。これによって、その非接触ＩＣカードは上述のアダプタとしても利用することができ、またサービスの情報の発信については、非接触ＩＣカードの通信インターフェイスを利用することができる。
【００９９】
　　（実施の形態９）　次に、図２２を参照して、上記ＩＣカード１（ここでは１１５０と付す）を利用可能な機器をユーザが使用する例を示す。
【０１００】
　今、インターネット１１１０にチケットサーバ１１００、クレジットサーバ１１０１、クレジットサーバ１１０２が接続されており、それぞれのサーバはコンサートのチケット販売、クレジット会社Ｘにおける決済サービス、クレジット会社Ｙにおける決済サービスを提供しているとする。
【０１０１】
　ユーザは、ＩＣカード１１５０を利用してコンサートのチケット予約をしたいと考える。ここでユーザは先ず自宅１１３０におけるパソコンＰＣ１１３１に接続されたカードホルダ１１３２にＩＣカード１１５０を挿入する。挿入に先立ちユーザはクレジットサービスを受ける会社を、対応するアダプタをカード本体に接続することで選択することが可能である。
【０１０２】
　次に、ユーザはチケットサーバ１１００に接続し、目的とするコンサートチケットを予約し電子チケットの購入を行う。このときチケット代金はあらかじめ、ＩＣカード１１５０に接続されたアダプタに対応したクレジットサービスを受ける会社により決済処理される。
【０１０３】
　こうしてユーザはコンサートのチケットのデータをチケットサーバ１１００からＩＣカード１１５０にダウンロードし、あらかじめＩＣカード１１５０で設定したクレジット会社に対するチケットの代金の支払いクレジットサーバ１１０１においてその処理を完了する。
【０１０４】
　次にユーザが購入したコンサートチケットをＩＣカード１１５０に入れたまま携帯電話１１４２で使用する状況を考える。このように、コンサートチケットを別の場所で使用する場合、チケットのデータは、ユーザが所有するＩＣカード１１５０に格納されているので安全性を確保できる。なせならば、チケットのデータがネットワーク上のサーバ等に保管されている場合は、ハッキング等の脅威にさらされていることになるからである。
【０１０５】
　次に、ユーザはコンサート会場１１４０に赴き会場に入場するため、携帯電話１１４２経由で、購入したコンサートチケットの認証を行う。コンサート会場１１４０におけるチケット認証には、チケットリーダ１１４１を使用し、携帯電話１１４２とのデータ交換は例えば近距離無線を利用することが可能である。
【０１０６】
　さらにコンサート会場においてユーザがチケット種別の変更を希望する場合、その差額の決済は携帯電話１１４２から公衆網１１２０を経由して、例えばクレジットサーバ１１０２を利用して処理することも可能である。
【０１０７】
　なお、自宅１１３０における、コンサートチケットの予約に、パソコンＰＣ１１３１及びカードホルダ１１３２を利用したが、携帯電話１１４２を利用した電子商取引機能を利用しても構わない。その場合、ユーザは自宅１１３０ではなく、移動環境においてコンサートチケットの予約が可能である。
【０１０８】
　また、コンサート会場１１４０においてコンサートチケットの認証に携帯電話１１４２を利用しているが、チケットリーダ１１４１に備えるカードホルダ（図示しない）にＩＣカード１１５０のみを挿入することにより同様の処理を実施可能である。
【０１０９】
　上記説明の通り、上記ＩＣカードを利用可能な機器をユーザが使用することで、モバイル環境において多種のサービスを一枚のＩＣカードにて享受することが可能となる。
【産業上の利用可能性】
【０１１０】
　本発明にかかるメモリカードは、カードから提供されるサービスをアダプタで選択することにより、そのカード外面にスイッチを設ける必要がなくなるという効果を奏し、ＣＰＵ又はＬＳＩ及び半導体メモリを有し、一枚のカードで複数のサービスを提供することのできるＩＣカードなどで有用である。
【図面の簡単な説明】
【０１１１】
【図１】本発明の実施の形態１に係るＩＣカードのカード本体の要部を示す斜視図
【図２】本発明の実施の形態１に係るＩＣカードのアダプタの要部を示す斜視図
【図３】本発明の実施の形態１に係るＩＣカードのアダプタとカード本体との接続部を示す平面図
【図４】本発明の実施の形態１に係るＩＣカードの電気的構成の概要を示すブロック図
【図５】本発明の実施の形態１に係るＩＣカードのアダプタ側接続部の形状を示す平面図
【図６】本発明の実施の形態２に係るＩＣカードのアダプタ側接続部の形状を示す平面図
【図７】本発明の実施の形態２に係るＩＣカードの別のアダプタ側接続部の形状を示す平面図
【図８】本発明の実施の形態２に係るＩＣカードのアダプタとカード本体との接続部を示す斜視図
【図９】本発明の実施の形態２に係るＩＣカードの別のアダプタ側接続部の形状を示す平面図
【図１０】本発明の実施の形態２に係るＩＣカードの別のアダプタとカード本体との接続部を示す平面図
【図１１】本発明の実施の形態３に係るＩＣカードのアダプタとカード本体との接続部を示す平面図
【図１２】本発明の実施の形態４に係るＩＣカードのアダプタの外観形状を示す斜視図
【図１３】本発明の実施の形態５におけるＩＣカードの電気的構成を説明するための図
【図１４】本発明の実施の形態５における外部機器でのメッセージの表示例を示す図
【図１５】本発明の実施の形態６におけるＩＣカードの電気的構成を説明するための図
【図１６】本発明の実施の形態６における外部機器でのメッセージの表示例を示す図
【図１７】本発明の実施の形態７におけるＩＣカードの電気的構成を説明するための図
【図１８】本発明の実施の形態７における外部機器でのメッセージの表示例を示す図
【図１９】本発明の実施の形態８におけるＩＣカードの電気的構成を説明するための図
【図２０】本発明の実施の形態８における外部機器でのメッセージの表示例を示す図
【図２１】本発明の実施の形態８におけるメモリカードの電気的構成を説明するための図
【図２２】本発明に係るＩＣカードを他機器において利用する場合の構成図
【図２３】従来例に係るＩＣカードを示すものであり、（ａ）の左側は従来の切手サイズのＩＣカードを示した斜視図であり、（ａ）の右側は左側のサイズを半分としたＩＣカードを示した斜視図であり、（ｂ）は（ａ）の右側のＩＣカードを示した側面図
【符号の説明】
【０１１２】
　　　１　ＩＣカード
　　　４　端子
　　　５　切り欠き部
　　　６　保持用凹部
　　　７　書込可否設定子用凹部
　　　８　書込可否設定子
　　１０（１０ａ〜１０ｃ）　カード本体
　　１１ａ，１１ｂ，１１ｃ　本体側接続端子
　　１２　小突起
　　２０（２０ａ〜２０ｑ）　アダプタ
　　２１ａ，２１ｂ，２１ｃ　アダプタ側接続端子
　　２２　小孔
　１００　ＣＰＵ
　１０１　インターフェイス
　１０２　アクセス制御手段
　１１０　突起検出手段
　１５５　外部機器検出手段
　２０１　メモリ
　３００　個人情報端末
　３０１　ディスプレイ
　４００　ＩＣタグ
　４０４　制御手段
１１００　チケットサーバ
１１０１　クレジットサーバＸ
１１０２　クレジットサーバＹ
１１１０　インターネット
１１２０　公衆網
１１３０　自宅
１１３１　パソコンＰＣ
１１３２　カードホルダ
１１４０　コンサート会場
１１４１　チケットリーダ
１１４２　携帯電話
１１５０　ＩＣカード
　　　Ｍ　記憶手段
　　Ｍａ，Ｍｂ，Ｍｃ，Ｍｄ，Ｍｅ　接点
　　Ｓａ，Ｓｂ　接点
　　　Ｖ，Ｗ　端面
【図１】
2004145870.tif 000003
【図２】
2004145870.tif 000004
【図３】
2004145870.tif 000005
【図４】
2004145870.tif 000006
【図５】
2004145870.tif 000007
【図６】
2004145870.tif 000008
【図７】
2004145870.tif 000009
【図８】
2004145870.tif 000010
【図９】
2004145870.tif 000011
【図１０】
2004145870.tif 000012
【図１１】
2004145870.tif 000013
【図１２】
2004145870.tif 000014
【図１３】
2004145870.tif 000015
【図１４】
2004145870.tif 000016
【図１５】
2004145870.tif 000017
【図１６】
2004145870.tif 000018
【図１７】
2004145870.tif 000019
【図１８】
2004145870.tif 000020
【図１９】
2004145870.tif 000021
【図２０】
2004145870.tif 000022
【図２１】
2004145870.tif 000023
【図２２】
2004145870.tif 000024
【図２３】
2004145870.tif 000025